(57)【特許請求の範囲】
【請求項１】
車両の床部に設けられるパネルの開口部を閉鎖するフロアカバーであって、
硬質の樹脂によって成形され、
前記開口部の周囲に対応する部分には、エラストマによって成形された防水パッキンが設けられ、
前記開口部の周囲の少なくとも一箇所に対応する部分に、ワイヤハーネスのグロメットを通過させるグロメット開口を備え、
前記パネルに対する取付方向と反対側を向く面に肉抜き部が形成され、
この肉抜き部には、前記防水パッキンと一体に成形されたエラストマが充填されていることを特徴とするフロアカバー。
【請求項２】
請求項１に記載のフロアカバーであって、
前記防水パッキンは、前記硬質の樹脂によって成形された一次成形品が有している凹状の充填溝に前記エラストマを充填しつつ、当該エラストマを金型により防水パッキンの形に成形する二色成形によって、フロアカバーに一体化されていることを特徴とするフロアカバー。
【請求項３】
請求項１又は２に記載のフロアカバーであって、
前記パネルに対する取付方向を向く面に、前記開口部に嵌合可能な凸部が一体的に形成されていることを特徴とするフロアカバー。
【請求項４】
請求項３に記載のフロアカバーであって、
前記凸部には、前記開口部の縁部に係止可能な止め部が一体的に形成されていることを特徴とするフロアカバー。
【請求項５】
請求項１から４までの何れか一項に記載のフロアカバーであって、
前記パネルに対する取付方向と反対側を向く面に固定部が一体的に形成され、
この固定部にワイヤハーネスのコネクタを係合可能であることを特徴とするフロアカバー。
【請求項６】
請求項５に記載のフロアカバーであって、
ワイヤハーネスのコネクタを前記固定部に係合させて備えることを特徴とするフロアカバー。
【発明の詳細な説明】
【技術分野】
【０００１】
本発明は、車両の床部に設けられるパネルの開口部を閉鎖するとともに、その開口部を通過するワイヤハーネスを保護するフロアカバーに関する。
【背景技術】
【０００２】
ワイヤハーネスを通過させるための開口部を自動車の床部のパネルに設ける場合、防水及びグロメットの保護のために、前記開口部をフロアカバーによって塞ぐ構成が知られている。
【０００３】
例えば特許文献１は、ワイヤハーネスを貫通させる開口を設けた車体パネルと、前記開口を覆いつつ該開口に連なるトンネル部を車体パネルとの間に形成するプロテクタ（フロアカバー）と、を備え、弾性材からなるグロメットを前記トンネル部に挟設するワイヤハーネスの車体貫通構造を開示する。この特許文献１の構成では、車体パネルの表面とプロテクタの裏面の間にシール材を挟み込んだ状態でプロテクタを車体パネルにビスにより固定しており、両者の間のシール性を確保している。
【特許文献１】特開平８−３３１７３２号公報
【発明の開示】
【発明が解決しようとする課題】
【０００４】
特許文献１に開示される開口閉鎖構造において、前記プロテクタは、金属板をプレス成形することで構成されるのが一般的である。しかしながら、この金属板によるプロテクタは、トンネル部を含めたプロテクタの形状を自由に設計することが難しく、このためにグロメットの形状の設計自由度が低くなり、更にシール性能の確保も困難であった。
【０００５】
また、車体パネル（グロメット）の表面とプロテクタの裏面との距離が一定になりにくいため、シール性能を良好に発揮させるためには、例えば発泡ゴム等からなるシール材を使用して、潰しシロを大きくしてプロテクタを車体パネルに取り付ける必要があった。更に、プロテクタをパネルに取り付ける際は、シール材の復元力に抗するようにプロテクタを手で押さえてパネルに対する位置が動かないように押し付けながら、プロテクタをビスで固定する必要があった。従って、車体パネルに対する取付作業が煩雑であり、作業工数の点で改善の余地が残されていた。また、金属板からなるプロテクタは軽量化が困難であった。
【０００６】
本発明は以上の事情に鑑みてされたものであり、その目的は、シール性能が良好で、パネルに対する取付作業が容易なフロアカバーを提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の、車両の床部に設けられるパネルの開口部を閉鎖するフロアカバーが提供される。即ち、このフロアカバーは硬質の樹脂によって成形され、前記開口部の周囲に対応する部分には、エラストマによって成形された防水パッキンが設けられる。また、前記開口部の周囲の少なくとも一箇所に対応する部分に、ワイヤハーネスのグロメットを通過させるグロメット開口を備える。前記パネルに対する取付方向と反対側を向く面に肉抜き部が形成される。この肉抜き部には、前記防水パッキンと一体に成形されたエラストマが充填されている。
【０００９】
この構成により、フロアカバー及び防水パッキンを型により成形することで自由度の高い形状設計が可能になり、形状の最適化により開口部のシール性能を容易に向上させることができる。また、グロメット開口の部分においてフロアカバー及び防水パッキンの形状をグロメットに対応させて適切に設計することで、グロメット部分も良好にシールすることができる。また、肉抜き部に水やゴミ等の異物が溜まることを防止できる。また、肉抜き部がエラストマによって埋められるので、耐踏性を向上でき、肉抜き部の破損を防止できる。更に、防水パッキンを成形するためのエラストマが肉抜き部の充填にも用いられるので、フロアカバーの製造工数を低減することができる。
前記のフロアカバーにおいては、前記防水パッキンは、前記硬質の樹脂によって成形された一次成形品が有している凹状の充填溝に前記エラストマを充填しつつ、当該エラストマを金型により防水パッキンの形に成形する二色成形によって、フロアカバーに一体化されていることが好ましい。
【００１０】
前記のフロアカバーにおいては、前記パネルに対する取付方向を向く面に、前記開口部に嵌合可能な凸部が一体的に形成されていることが好ましい。
【００１１】
この構成により、凸部を開口部に嵌合させて位置決めした状態でフロアカバーをパネルに固定することができる。従って、フロアカバーの位置ズレの心配がなく、取付作業が簡単になる。
【００１２】
前記のフロアカバーにおいては、前記凸部には、前記開口部の縁部に係止可能な止め部が一体的に形成されていることが好ましい。
【００１３】
この構成により、止め部を開口部に係止することで凸部の抜止めがされて、フロアカバーのパネルからの浮き上がりを防止できる。従って、フロアカバーを取り付ける作業が一層容易になる。
【００１４】
前記のフロアカバーにおいては、以下の構成とすることが好ましい。即ち、フロアカバーの前記パネルに対する取付方向と反対側を向く面に固定部が一体的に形成される。この固定部にワイヤハーネスのコネクタを係合可能である。
【００１５】
この構成により、コネクタを固定して保持する機能を有するフロアカバーを提供できる。また、固定部はフロアカバーに一体的に形成されているので、部品点数を低減できる。
【００１６】
前記のフロアカバーにおいては、ワイヤハーネスのコネクタを前記固定部に係合させて備えることが好ましい。
【００１７】
この構成により、コネクタとフロアカバーを１つにまとめることができ、構造を小型化できる。また、コネクタと前記グロメットに関するワイヤハーネスの配索の自由度を高めることができ、かつ、配索をコンパクトなスペースに容易に収めることができる。
【発明を実施するための最良の形態】
【００２０】
次に、発明の実施の形態を説明する。図１は、本発明の一実施形態に係るフロアカバーの全体的な構成を示す斜視図である。図２はフロアカバーをパネルに組み付ける様子を示す分解組立斜視図である。
【００２１】
図１に示すフロアカバー１１は、自動車（車両）の床部のパネル５１に形成された配線用の開口部５２を覆うように設けられている。パネル５１は、例えば自動車の乗員室の床部に備えられるものであり、所定の厚みの鋼板で構成されている。パネル５１は水平に設置され、このパネル５１によって乗員室と床下空間とが区画されている。
【００２２】
このパネル５１には、図略のワイヤハーネスを通過させるための前記開口部５２が貫通状に形成されている。この開口部５２は略楕円状に形成されており、この開口部５２を介して乗員室と床下空間とが連通している。この開口部５２は、乗員室のシートに座る乗員の足元近傍に位置している。前記フロアカバー１１は前記開口部５２を上側から覆うように配置され、パネル５１の床上側の面に取り付けられている。
【００２３】
図２に示すように、パネル５１には３つの貫通状の角孔５３が形成されている。更に、パネル５１にはグロメット取付孔５４が形成されている。これら角孔５３及びグロメット取付孔５４は、前記開口部５２の周囲に配置されている。
【００２４】
前記開口部５２の周囲の一箇所にはグロメット６０が設置されている。このグロメット６０は、硬質樹脂製のインナー部材６１と、このインナー部材６１の一部を覆うエラストマからなるアウター部材６２と、により構成されている。
【００２５】
インナー部材６１は筒状に成形されており、その内部に前記ワイヤハーネスを挿通できるように構成されている。また、このインナー部材６１の一端は前記アウター部材６２により被覆されている。この被覆部分において、インナー部材６１及びアウター部材６２は、断面が略三角形状となるよう形成されている（図１のＡ−Ａ断面図としての図３を参照）。このアウター部材６２は中空状に成形されており、内部にワイヤハーネスを挿通することができる。
【００２６】
グロメット６０の下面には、スナップフィット付きの図略の凸部が形成されている。この凸部を前記グロメット取付孔５４（図２）に床上側から挿入することにより、グロメット６０がパネル５１に取り付けられる。グロメット６０はパネル５１の床上側の面に取り付けられるとともに、前記開口部５２の縁部に配置される。また、前記アウター部材６２の一端は前記開口部５２を通過して、パネル５１の床下側に延出している。
【００２７】
図２に示すように、前記角孔５３のそれぞれには、合成樹脂製のスクリューグロメット７１が床上側から嵌め込まれている。このスクリューグロメット７１には、後述するタッピングネジ７２を捩じ込んで固定することができる。
【００２８】
フロアカバー１１は、硬質の樹脂（本実施形態では、タルク粉末を混合したポリプロピレン）を使用して射出成形することにより製造されている。フロアカバー１１の形状は、前記開口部５２を全体にわたって覆うことが可能な略平板状の部分を有している。このフロアカバー１１は、前記グロメット６０の一部に跨って覆うように、パネル５１に対し床上側から取り付けられる。
【００２９】
前記角孔５３に対応する位置において、前記フロアカバー１１には挿通孔２１が形成される。この挿通孔２１にタッピングネジ（取付部材）７２の軸部を床上側から挿通し、下側の前記スクリューグロメット７１に固定することで、フロアカバー１１をパネル５１に固定することができる。
【００３０】
フロアカバー１１の上面には、ワイヤハーネスのコネクタ１２を設置するための平坦な設置面２２が形成されている。また、フロアカバー１１には、コネクタ１２を取り付けるための係止体（固定部）２３が一体形成されている。
【００３１】
前記コネクタ１２は、前記グロメット６０に挿通されたワイヤハーネスの図示しない電線を接続可能に構成されている。このコネクタ１２には、スナップフィットを備えた第１係止具４１及び第２係止具４２が一体形成されており、第１係止具４１が前記係止体２３に、第２係止具４２が前記係止孔２４に、それぞれ係合可能になっている。
【００３２】
前記フロアカバー１１を床下側から見た様子が図４に示される。この図４に示すように、フロアカバー１１の下面には凸部２５が一体形成されている。この凸部２５は楕円を一部切り欠いたような輪郭を有しており、パネル５１の前記開口部５２に嵌合可能に構成されている。
【００３３】
前記凸部２５の側面には複数の仮止め体（止め部）２６が一体形成されており、仮止め体２６のそれぞれはスナップフィットを有している。この構成で、前記開口部５２に前記凸部２５を挿入すると、この仮止め体２６のスナップフィットが開口部５２の縁部に係止し、凸部２５が開口部５２から抜けるのを規制することができる。
【００３４】
この構成で、フロアカバー１１をパネル５１に固定するときは、前記凸部２５を開口部５２に差し込んで嵌合し、更に前記仮止め体２６を開口部５２に係止させる。これにより、フロアカバー１１をパネル５１に対し位置決めできるとともに、フロアカバー１１のパネル５１からの浮き上がりも防止できる。従って、フロアカバー１１の位置を合わせたり手で押さえる必要なしに、タッピングネジ７２を用いてフロアカバー１１を簡単に固定することができる。
【００３５】
フロアカバー１１の下面において、前記開口部５２の周囲の一箇所に対応する部分には、床上側に凹となるＶ字状の凹部２７が形成されている。この凹部２７はフロアカバー１１の端部まで延びて、当該フロアカバー１１の側壁にグロメット開口２８を形成している。図１に示すように、このグロメット開口２８は、前記グロメット６０のアウター部材６２被覆部分の形状に対応して、略三角形状に形成されている。
【００３６】
そして、フロアカバー１１をパネル５１に取り付けるときは、図２に示すように、前記凹部２７をグロメット６０の一部（アウター部材６２で被覆された部分）にかぶせるように配置する。これにより、グロメット６０は図１に示すように、一部は外部に露出し、残りの部分は前記グロメット開口２８を通過してフロアカバー１１内に収容される。
【００３７】
図４に示すように、前記開口部５２の周囲に対応する位置において、フロアカバー１１の下面には防水パッキン２９が備えられる。この防水パッキン２９は無端状に形成されており、前記凸部２５の周囲を取り囲むように略楕円弧状に配置される部分と、前記凹部２７の内壁に沿って略Ｖ字状に配置される部分と、を有している。
【００３８】
防水パッキン２９は、下方へ突出した二重の薄いリップ部３０を長手方向に沿って備えるように成形される。このリップ部３０は容易に変形しながら、前記パネル５１の上面（開口部５２の周囲）又はグロメット６０の上面に良好に密着可能になっている。
【００３９】
前記防水パッキン２９は熱可塑性エラストマによりなり、いわゆる二色成形を行うことによりフロアカバー１１に一体化されている。
【００４０】
このフロアカバー１１は、例えば以下のように製造することができる。即ち、最初に一次成形品を、タルクを混合したポリプロピレン樹脂により成形する。この一次成形品は、図３に示すように、前記防水パッキン２９に対応する位置に凹状の充填溝３１を有する形状とする。次に、型開きして一次成形品をコア側に保持したままキャビティ型を交換し、今度はエラストマを前記充填溝３１に充填するとともに前記防水パッキン２９の形に成形し、固化させる。こうして、二次成形品（複合成形体）としてのフロアカバー１１を得ることができる。
【００４１】
上記のように、本実施形態のフロアカバー１１は、当該フロアカバー１１及び防水パッキン２９の形状を金型により成形することとしている。従って、自由度の高い成形が可能であり、シール性能を良好に発揮させるように形状を設計できる。例えば前記凹部２７の部分では、図３に示すように、グロメット６０の断面三角形の部分に隙間なく密着するように防水パッキン２９の形状が設計されている。従って、シール性能に優れたフロアカバー１１とすることができる。また、前述のように二色成形を行うことにより、防水パッキン２９をフロアカバー１１と隙間なく一体化させることができ、この意味でもシール性能を向上させることができる。更に、フロアカバー１１は硬質樹脂で成形されるので、金属板のフロアカバーと比較して軽量化が容易である。
【００４２】
なお、図２等に示すように、フロアカバー１１の例えば前記凹部２７を形成した部分の上面には、複数の肉抜き部３２が並べて設けられ、前記の射出成形時にヒケが上面に形成されるのを防止している。この肉抜き部３２は、上側を開放させた中空状に形成されている。
【００４３】
そして図３に示すように、上方開放状の肉抜き部３２の底面には貫通状の連通孔３３が形成され、この連通孔３３を介して充填溝３１と肉抜き部３２とが連通している。従って、防水パッキン２９の成形のためのエラストマを前記充填溝３１に充填する際に、当該エラストマは肉抜き部３２内にも流入し、エラストマ充填部３４が構成される。これにより、肉抜き部３２の内部に異物や水が溜まることを防止できる。
【００４４】
図１及び図３に示すように、エラストマは肉抜き部３２の上端まで充填されており、この結果、当該肉抜き部３２を塞ぐように平坦面が形成されている。また、図１に示すように、この平坦面の高さは、フロアカバー１１に取り付けられたコネクタ１２の上面とほぼ同じ高さとなっている。これにより、例えば乗員の踏付けによる圧力を均等に分散でき、耐踏性を向上できる。
【００４５】
以上に説明したように、本実施形態においてパネル５１の開口部５２を閉鎖するフロアカバー１１は、硬質の樹脂によって成形される。また、前記開口部５２の周囲に対応する位置において、前記フロアカバー１１には、エラストマによって成形された防水パッキン２９が設けられる。そして、フロアカバー１１は、前記開口部５２の周囲の一箇所に対応する位置に、ワイヤハーネスのグロメット６０を通過させるグロメット開口２８を備えている。
【００４６】
これにより、フロアカバー１１及び防水パッキン２９を型により成形することで、その形状を自由に設計でき、開口部５２のシール性能を容易に向上させることができる。また、グロメット６０を通過させるグロメット開口２８の部分において、フロアカバー１１及び防水パッキン２９の形状を当該グロメット６０の形状に対応して適切に設計することで、シール性能を更に向上することができる。
【００４７】
また、フロアカバー１１は、そのパネル５１に対する取付方向を向く面（下面）に、前記開口部５２に嵌合可能な凸部２５が一体的に形成されている。
【００４８】
これにより、凸部２５を開口部５２に嵌合させて位置決めした状態でフロアカバー１１をパネル５１に固定することができる。従って、フロアカバー１１の位置ズレの心配がなく、タッピングネジ７２を用いた取付作業が簡単になる。
【００４９】
また、前記凸部２５には、前記開口部５２の縁部に係止可能な仮止め体２６が一体的に形成されている。
【００５０】
これにより、仮止め体２６を開口部５２に係止することで凸部２５の抜止めがされて、フロアカバー１１のパネル５１からの浮き上がりを防止できる。従って、フロアカバー１１をタッピングネジ７２で固定する作業が一層容易になる。
【００５１】
また、前記フロアカバー１１において、パネル５１に対する取付方向と反対側を向く面（即ち、上面）には、係止体２３が一体的に形成される。そして、この係止体２３に対し、ワイヤハーネスのコネクタ１２を係合可能に構成されている。
【００５２】
これにより、コネクタ１２を固定して保持する機能を有するフロアカバー１１を提供できる。また、係止体２３はフロアカバー１１に一体的に形成されているので、部品点数を低減できる。
【００５３】
また、本実施形態のフロアカバー１１は、ワイヤハーネスのコネクタ１２を前記係止体２３に係合させて備える。
【００５４】
これにより、コネクタ１２とフロアカバー１１を１つにまとめることができ、小型化が容易である。また、コネクタ１２に接続され前記グロメット６０を挿通するワイヤハーネスの配索の自由度を高めることができ、かつ、配索をコンパクトなスペースに容易に収めることができる。
【００５５】
また、前記フロアカバー１１には、当該フロアカバー１１を開口部５２に装着する方向と反対側を向く面（即ち、上面）に肉抜き部３２が形成される。この肉抜き部３２には、前記防水パッキン２９と一体に成形されたエラストマが充填され、エラストマ充填部３４が構成されている。
【００５６】
この構成により、肉抜き部３２に水やゴミ等の異物が溜まることを防止できる。また、肉抜き部３２がエラストマによって埋められるので、乗員の踏付け等により上から外力が加わっても、その圧力を分散させることにより、肉抜き部３２の破損を防止できる。
【００５７】
以上に本発明の好適な実施形態を説明したが、以上の構成は例えば以下のように変更することができる。
【００５８】
フロアカバー１１の原料としては、タルクを混合したポリプロプレンに限定されず、硬質の樹脂である限り様々な原料を用いることができる。例えば、ＡＢＳ樹脂を使用することが考えられる。
【００５９】
ワイヤハーネスのグロメット６０を１つだけ備える構成に代えて、２つ以上のグロメットが開口部５２を通過する構成に変更することができる。この場合、フロアカバー１１において、前記凹部２７及びグロメット開口２８を２つ以上備えれば良い。
【００６０】
グロメット６０の断面形状及びグロメット開口２８の形状は、三角形とすることに代えて、例えば半円形、台形等に変更することができる。
【図面の簡単な説明】
【００６１】
【図１】本発明の一実施形態に係るフロアカバーの全体的な構成を示す斜視図。
【図２】フロアカバーをパネルに組み付ける様子を示す分解組立斜視図。
【図３】図１のＡ−Ａ断面矢視図。
【図４】フロアカバーを床下側から見た斜視図。
【符号の説明】
【００６２】
１１  フロアカバー
１２  コネクタ
２３  係止体（固定部）
２５  凸部
２６  仮止め体（止め部）
２８  グロメット開口
２９  防水パッキン
３２  肉抜き部
３４  エラストマ充填部
５１  パネル
５２  開口部
６０  グロメット
【図１】
0004999090.tif 000002
【図２】
0004999090.tif 000003
【図３】
0004999090.tif 000004
【図４】
0004999090.tif 000005